(57)【要約】【課題】ＩＤコードの登録作業が容易なセキュリティシステムを提供する。【解決手段】セキュリティシステム１は、錠開閉検知器２、携帯機３、火災探知器４及びモニタ装置５を備えている。錠開閉検知器２、携帯機３及び火災探知器４は、それぞれ異なるＩＤコードが含まれている第一〜第三ＩＤ信号をモニタ装置５に送信する。モニタ装置５が備えるモニタ側マイコンは、複数のチャンネルに各ＩＤコードを登録させる。また、モニタ側マイコンは、ＩＤコードがチャンネルに登録されたことを条件として、ＩＤコードの登録がなされていない空きチャンネルに切り替える。【選択図】　図１
2004102704.tif 000002
【特許請求の範囲】
【請求項１】
それぞれ異なるＩＤコードが含まれているＩＤ信号を送信する複数の送信装置と、前記送信装置から送信されるＩＤ信号を受信することで建物の異常を監視するモニタ装置とを備えたセキュリティシステムにおいて、
前記各送信装置は、前記ＩＤ信号を前記モニタ装置に送信するための操作手段を備えており、
前記モニタ装置は、前記ＩＤコードが登録される複数のチャンネルと、前記ＩＤコードが前記チャンネルに登録されたことを条件として、ＩＤコードの登録がなされていない空きチャンネルに切り替えるチャンネル切替手段とを備えていることを特徴とするセキュリティシステム。
【請求項２】
それぞれ異なるＩＤコードが含まれているＩＤ信号を送信する複数の送信装置と、前記送信装置から送信されるＩＤ信号を受信することで建物の異常を監視するモニタ装置とを備えたセキュリティシステムにおいて、
前記各送信装置は、前記ＩＤ信号を前記モニタ装置に送信するための操作手段を備えており、
前記モニタ装置は、前記ＩＤコードが登録される複数のチャンネルと、前記ＩＤ信号を受信したことを条件として、ＩＤコードの登録がなされていない空きチャンネルに切り替えるチャンネル切替手段とを備えていることを特徴とするセキュリティシステム。
【請求項３】
前記モニタ装置は、前記各送信装置から送信される前記ＩＤ信号に含まれているＩＤコードを識別する識別手段と、前記識別手段の識別結果に基づいて、前記建物の異常を複数の通報態様で知らせる通報手段と、前記通報手段の通報態様を選択する選択手段とを備えていることを特徴とする請求項１または２に記載のセキュリティシステム。
【請求項４】
前記モニタ装置は、前記ＩＤコードが前記チャンネルに登録完了したことを知らせる通知手段を備えていることを特徴とする請求項１〜請求項３のいずれか一項に記載のセキュリティシステム。
【発明の詳細な説明】
【０００１】
【発明の属する技術分野】
本発明は、建物の異常を監視するセキュリティシステムに関するものである。
【０００２】
【従来の技術】
図４に示すように、セキュリティシステム４１は、錠開閉検知器４２、携帯機４３、火災探知器４４及びモニタ装置４５によって構成されている。錠開閉検知器４２は、窓４６のクレセント錠４７が解錠されたときに、ＩＤコードが含まれている第一ＩＤ信号を出力するようになっている。携帯機４３は、操作スイッチ４８が操作されたときに、ＩＤコードが含まれている第二ＩＤ信号を出力するようになっている。火災探知器４４は、建物内の火災を検知したときにＩＤコードが含まれている第三ＩＤ信号を出力するようになっている。
【０００３】
モニタ装置４５は、建物内の異常を監視する警戒モードに設定されているときに、錠開閉検知器４２、携帯機４３及び火災探知器４４からの第一〜第三ＩＤ信号に基づいて警報を発したり、警察署や消防署等の外部機関に建物内の異常を通報したりするようになっている（特許文献１参照）。このため、夜間や外出時にモニタ装置４５を警戒モードに設定しておくことにより、防犯性を向上させることができる。さらに、モニタ装置４５は、第一〜第三ＩＤ信号に含まれているＩＤコードを複数のチャンネル４９に登録させる登録モードに設定されるようになっている。なお、「チャンネル４９」とは、モニタ装置４５のモニタ側マイコン５０のメモリ５０ａ内に存在するＩＤコードを記憶させるための格納領域のことである。
【０００４】
【特許文献１】
特開２００２−１１５４２９号公報
【０００５】
【発明が解決しようとする課題】
上述した従来のセキュリティシステム４１では、ＩＤコードを１回登録しようとする度に、チャンネル切替スイッチ５１によって予めＩＤコードを登録させるチャンネル４９を指定してから、錠開閉検知器４２、携帯機４３及び火災探知器４４に設けられた操作スイッチ５２，４８，５３を操作する必要がある。ゆえに、ＩＤコードの登録作業が煩雑になる。
【０００６】
本発明は、このような従来技術に存在する問題点に着目してなされたものである。その目的は、ＩＤコードの登録作業が容易なセキュリティシステムを提供することにある。
【０００７】
【課題を解決するための手段】
上記目的を達成するために、請求項１に記載の発明は、それぞれ異なるＩＤコードが含まれているＩＤ信号を送信する複数の送信装置と、前記送信装置から送信されるＩＤ信号を受信することで建物の異常を監視するモニタ装置とを備えたセキュリティシステムにおいて、前記各送信装置は、前記ＩＤ信号を前記モニタ装置に送信するための操作手段を備えており、前記モニタ装置は、前記ＩＤコードが登録される複数のチャンネルと、前記ＩＤコードが前記チャンネルに登録されたことを条件として、ＩＤコードの登録がなされていない空きチャンネルに切り替えるチャンネル切替手段とを備えていることを要旨とする。
【０００８】
本発明においては、送信装置からのＩＤ信号に含まれているＩＤコードがチャンネルに登録されると、チャンネル切替手段は、ＩＤコードが前記チャンネルに登録されたことを条件として、ＩＤコードの登録がなされていない空きチャンネルに切り替える。よって、各送信装置の操作手段をそれぞれ操作していくだけで各チャンネルにＩＤコードが登録される。ゆえに、ＩＤコードの登録作業が容易になる。
【０００９】
請求項２に記載の発明は、それぞれ異なるＩＤコードが含まれているＩＤ信号を送信する複数の送信装置と、前記送信装置から送信されるＩＤ信号を受信することで建物の異常を監視するモニタ装置とを備えたセキュリティシステムにおいて、前記各送信装置は、前記ＩＤ信号を前記モニタ装置に送信するための操作手段を備えており、前記モニタ装置は、前記ＩＤコードが登録される複数のチャンネルと、前記ＩＤ信号を受信したことを条件として、ＩＤコードの登録がなされていない空きチャンネルに切り替えるチャンネル切替手段とを備えていることを要旨とする。
【００１０】
本発明においては、送信装置からのＩＤ信号に含まれているＩＤコードがチャンネルに登録されると、チャンネル切替手段は、ＩＤ信号を受信したことを条件として、ＩＤコードの登録がなされていない空きチャンネルに切り替える。よって、各送信装置の操作手段をそれぞれ操作していくだけで各チャンネルにＩＤコードが登録される。ゆえに、ＩＤコードの登録作業が容易になる。
【００１１】
請求項３に記載の発明は、請求項１または請求項２に記載の発明において、前記モニタ装置は、前記各送信装置から送信される前記ＩＤ信号に含まれているＩＤコードを識別する識別手段と、前記識別手段の識別結果に基づいて、前記建物の異常を複数の通報態様で知らせる通報手段と、前記通報手段の通報態様を選択する選択手段とを備えていることを要旨とする。
【００１２】
本発明においては、送信されてきたＩＤ信号に含まれているＩＤコードを識別手段によって識別した識別結果に基づいて、選択手段が通報手段の通報態様を選択する。よって、チャンネルに応じて通報手段の通報態様が選択される場合のように、どのチャンネルにどのＩＤコードを登録しても、モニタ装置が意図に反した動作をするのを防止することができる。
【００１３】
また、各送信装置を登録させるチャンネルが予め決められている訳ではない。そのため、それぞれの送信装置をチャンネル数を超えない範囲で自由に増減させることができる。
【００１４】
請求項４に記載の発明は、請求項１〜請求項３のいずれか一項に記載の発明において、前記モニタ装置は、前記ＩＤコードが前記チャンネルに登録完了したことを知らせる通知手段を備えていることを要旨とする。
【００１５】
本発明においては、通知手段は、ＩＤコードがチャンネルに登録完了したことを知らせるようになっている。よって、ＩＤコードを登録する度に登録されたか否かを確認することができるため、ＩＤコードの登録作業がより一層容易になる。
【００１６】
【発明の実施の形態】
（第１実施形態）
以下、本発明を具体化した建物用セキュリティシステムの第１実施形態を図１〜図３に従って説明する。
【００１７】
図１，図２に示すように、セキュリティシステム１は、錠開閉検知器２、携帯機３、火災探知器４及びモニタ装置５を備えている。
錠開閉検知器２は、建物の引き違い式窓６に設けられている。錠開閉検知器２には、引き違い式窓６を施解錠させるクレセント錠７が取り付けられている。錠開閉検知器２は、電池８ａ、検知器側表示部９、操作手段としての検知器側セットスイッチ１０、リードスイッチ１１、検知器側マイクロコンピュータ（検知器側マイコン）１２及び検知器側送信回路１３を備えている。
【００１８】
電池８ａは、検知器側マイコン１２及び検知器側送信回路１３に対して電力を供給する。検知器側表示部９は、錠開閉検知器２に内蔵されたＬＥＤによって構成されている。この検知器側表示部９は、検知器側マイコン１２からの出力信号に基づいて点灯するようになっている。検知器側セットスイッチ１０は、錠開閉検知器２に設けられた押しボタンスイッチであり、押圧操作されたときに検知器側マイコン１２に対して操作信号を出力するようになっている。リードスイッチ１１は、クレセント錠７の解錠状態を検出したときに、検知器側マイコン１２に対して解錠信号を出力するようになっている。
【００１９】
検知器側マイコン１２は、ＣＰＵ、ＲＯＭ、ＲＡＭからなるＣＰＵユニットである。検知器側マイコン１２は、検知器側セットスイッチ１０からの操作信号またはリードスイッチ１１からの解錠信号が入力されたことを条件として、予め設定された所定のＩＤコードが含まれている第一ＩＤ信号を検知器側送信回路１３に出力するようになっている。検知器側送信回路１３は、第一ＩＤ信号を所定周波数の電波に変調し、送信アンテナ１４を介してモニタ装置５に送信するようになっている。本実施形態では、錠開閉検知器２が送信装置として用いられている。
【００２０】
携帯機３は、建物のユーザに所持されるものであり、電池８ｂ、操作手段としての操作スイッチ１５、携帯機側マイクロコンピュータ（携帯機側マイコン）１６及び携帯機側送信回路１７を備えている。電池８ｂは、携帯機側マイコン１６及び携帯機側送信回路１７に対して電力を供給する。操作スイッチ１５は、携帯機３に設けられた押しボタンスイッチであり、押圧操作されたときに携帯機側マイコン１６に対して操作信号を出力するようになっている。
【００２１】
携帯機側マイコン１６は、ＣＰＵ、ＲＯＭ、ＲＡＭからなるＣＰＵユニットである。この携帯機側マイコン１６は、操作スイッチ１５からの操作信号が入力されたことを条件として、予め設定された所定のＩＤコードが含まれている第二ＩＤ信号を携帯機側送信回路１７に出力するようになっている。携帯機側送信回路１７は、第二ＩＤ信号を所定周波数の電波に変調し、送信アンテナ１８を介してモニタ装置５に送信するようになっている。本実施形態では、携帯機３が送信装置として用いられている。
【００２２】
火災探知器４は、建物内に設けられており、電池８ｃ、探知器側表示部１９、操作手段としての探知器側セットスイッチ２０、火災センサ２１、探知器側マイクロコンピュータ（探知器側マイコン）２２及び探知器側送信回路２３を備えている。
【００２３】
電池８ｃは、探知器側マイコン２２及び探知器側送信回路２３に対して電力を供給する。探知器側表示部１９は、火災探知器４に内蔵されたＬＥＤによって構成されている。この探知器側表示部１９は、探知器側マイコン２２からの出力信号に基づいて点灯するようになっている。探知器側セットスイッチ２０は、火災探知器４に設けられた押しボタンスイッチであり、押圧操作されたときに探知器側マイコン２２に対して操作信号を出力するようになっている。火災センサ２１は、建物内の火災の発生を検出したときに、探知器側マイコン２２に対して火災検出信号を出力するようになっている。
【００２４】
探知器側マイコン２２は、ＣＰＵ、ＲＯＭ、ＲＡＭからなるＣＰＵユニットである。探知器側マイコン２２は、探知器側セットスイッチ２０からの操作信号または火災センサ２１からの火災検出信号が入力されたことを条件として、予め設定された所定のＩＤコードが含まれている第三ＩＤ信号を探知器側送信回路２３に出力するようになっている。探知器側送信回路２３は、第三ＩＤ信号を所定周波数の電波に変調し、送信アンテナ２４を介してモニタ装置５に送信するようになっている。なお、第一〜第三ＩＤ信号に含まれているＩＤコードはそれぞれ異なっている。本実施形態では、火災探知器４が送信装置として用いられている。
【００２５】
図１，図２に示すように、モニタ装置５は、電源回路２６、バックアップ電池２７、モニタ側表示部２８、受信回路２９、モニタ側マイクロコンピュータ（モニタ側マイコン）３０、報知ブザー３１及びモード切替スイッチ３２を備えている。モニタ側マイコン３０には、通報手段を構成する通信装置３３が接続されている。
【００２６】
また、モニタ装置５の意匠面上には複数のラベル２５が貼り付けられている。各ラベル２５は、第一〜第三ＩＤ信号のＩＤコードが登録される複数（本実施形態において３０個）のモニタ側表示部２８に対応している。各ラベル２５には、モニタ装置５の監視対象としてチャンネル３５に登録された錠開閉検知器２、携帯機３及び火災探知器４の名称が表示されている。
【００２７】
チャンネル３５は、モニタ側マイコン３０のメモリ３０ａ内に複数（本実施形態において３０個）設定されている。各チャンネル３５は、第一〜第三ＩＤ信号に含まれているＩＤコードを記憶させておくための格納領域である。
【００２８】
電源回路２６は、受信回路２９及びモニタ側マイコン３０に対して電力を供給する。バックアップ電池２７は、停電時に受信回路２９及びモニタ側マイコン３０に対して電力を供給する。モニタ側表示部２８は、前記各チャンネル３５と対応するように設けられている。各モニタ側表示部２８は、ＬＥＤ等の発光素子によって構成され、モニタ側マイコン３０からの出力信号に基づいて点灯する。本実施形態において、これらモニタ側表示部２８は２色発光ダイオードによって構成されている。
【００２９】
受信回路２９は、錠開閉検知器２からの第一ＩＤ信号、携帯機３からの第二ＩＤ信号及び火災探知器４からの第三ＩＤ信号を受信アンテナ３４を介して受信し、それら第一〜第三ＩＤ信号を復調してモニタ側マイコン３０に入力する。モニタ側マイコン３０は、ＣＰＵ、ＲＯＭ、ＲＡＭからなるＣＰＵユニットである。モニタ側マイコン３０は、モード切替スイッチ３２の押圧操作によって、登録モード、警戒モード及び在宅モードのうちのいずれかへの切り替えを行う。なお、登録モードとは、第一〜第三ＩＤ信号のＩＤコードを各チャンネル３５に登録するモードである。警戒モードとは、建物内の異常が検出されたときに報知ブザー３１及び通信装置３３によって建物内の異常を知らせるモードである。報知ブザー３１は、例えばブザーやスピーカによって構成され、モニタ側マイコン３０からの作動信号に基づいて動作する。在宅モードとは、錠開閉検知器２、携帯機３及び火災探知器４の状態を各モニタ側表示部２８に表示させるモードである。
【００３０】
このように構成されたモニタ装置５は、通常在宅モードにある。この状態において、モード切替スイッチ３２を押圧操作する毎に、登録モード、警戒モードの順に切り替わり、さらに警戒モードにあるときにモード切替スイッチ３２を押圧操作すると在宅モードに復帰する。
【００３１】
在宅モードにおいてモニタ側マイコン３０は、錠開閉検知器２からの第一ＩＤ信号に基づいて、錠開閉検知器２の施錠状態または解錠状態を、第一ＩＤ信号のＩＤコードが登録されたチャンネル３５に対応するモニタ側表示部２８に表示する。このモニタ側表示部２８は、施錠状態で緑色点灯、解錠状態で赤色点灯するように設定されている。
【００３２】
登録モードにおいてモニタ側マイコン３０は、検知器側セットスイッチ１０の操作によって錠開閉検知器２から出力される第一ＩＤ信号に含まれているＩＤコードを、複数のチャンネル３５のうち登録されていない空きチャンネル３５に登録する。その結果、錠開閉検知器２がモニタ装置５の監視対象として登録される。また、モニタ側マイコン３０は、操作スイッチ１５の操作によって携帯機３から出力される第二ＩＤ信号に含まれているＩＤコードを、空きチャンネル３５に登録する。その結果、携帯機３がモニタ装置５の監視対象として登録される。さらに、モニタ側マイコン３０は、探知器側セットスイッチ２０の操作によって火災探知器４から出力される第三ＩＤ信号に含まれているＩＤコードを、空きチャンネル３５に登録する。その結果、火災探知器４がモニタ装置５の監視対象として登録される。
【００３３】
そして、モニタ側マイコン３０は、報知ブザー３１を作動させてＩＤコードがチャンネル３５に登録完了したことを知らせる。すなわち、報知ブザー３１は通知手段として用いられている。
【００３４】
モニタ側マイコン３０は、ＩＤコードが複数のチャンネル３５のうちいずれか一つに登録されたことを条件として、次回以降に送信されてくる第一〜第三ＩＤ信号に含まれているＩＤコードを登録させるチャンネル３５を、ＩＤコードの登録を済ませていない空きチャンネル３５のうちいずれか一つに切り替える。モニタ側マイコン３０は、次回以降に送信されてくる第一〜第三ＩＤ信号に含まれているＩＤコードを空きチャンネル３５に登録できるようにした状態で待機する。すなわち、モニタ側マイコン３０はチャンネル切替手段として用いられている。
【００３５】
警戒モードにおいてモニタ側マイコン３０は、第一ＩＤ信号が入力されたときに、その第一ＩＤ信号に含まれているＩＤコードと、登録モードにおいて登録された錠開閉検知器２のＩＤコードとが一致することを識別して、報知ブザー３１及び通信装置３３に対して作動信号を出力する。その結果、報知ブザー３１から警報音が所定時間発せられるとともに、通信装置３３から外部機関（本実施形態において警察署）に建物内の異常が通報される。また、モニタ側マイコン３０は、第二ＩＤ信号が入力されたときに、その第二ＩＤ信号に含まれているＩＤコードと、登録モードにおいて登録された携帯機３のＩＤコードとが一致することを識別して、通信装置３３に対して作動信号を出力する。その結果、通信装置３３から外部機関（本実施形態において消防署）に建物内の異常が通報される。さらに、モニタ側マイコン３０は、第三ＩＤ信号が入力されたときに、その第三ＩＤ信号に含まれているＩＤコードと、登録モードにおいて登録された火災探知器４のＩＤコードとが一致することを識別して、報知ブザー３１及び通信装置３３に対して作動信号を出力する。その結果、報知ブザー３１から警報音が所定時間発せられるとともに、通信装置３３から外部機関（本実施形態において消防署）に建物内の異常が通報される。
【００３６】
よって、モニタ側マイコン３０は、各チャンネル３５に登録されたＩＤコードのうちいずれか一つが、第一〜第三ＩＤ信号に含まれているＩＤコードと一致することを識別する。すなわち、モニタ側マイコン３０は識別手段として用いられている。そして、モニタ側マイコン３０は通信装置３３の通報態様について選択する。ここでいう、「通報態様」とは、通信装置３３によって通報される通報先のことである。具体的には、錠開閉検知器２から出力される第一ＩＤ信号を受信した場合、モニタ側マイコン３０は、外部からの侵入者があるとみなして警察署を通報先として選択する。携帯機３から出力される第二ＩＤ信号を受信した場合、モニタ側マイコン３０は、ユーザに病気や怪我等の緊急事態が発生したとみなして、救急車を呼ぶために消防署を通報先として選択する。火災探知器４から出力される第三ＩＤ信号を受信した場合、モニタ側マイコン３０は、建物に火災が発生したとみなして、消防車を呼ぶために消防署を通報先として選択する。すなわち、モニタ側マイコン３０は選択手段として用いられている。
【００３７】
次に、これら検知器側マイコン１２、携帯機側マイコン１６、探知器側マイコン２２及びモニタ側マイコン３０によって行われる第一〜第三ＩＤ信号のＩＤコードの登録方法を、図３に従って説明する。
【００３８】
まず、モード切替スイッチ３２の押圧操作により、モニタ側マイコン３０によって登録モードに切り替えられたか否かが判断される（Ｓ１）。登録モードに切り替えられると、錠開閉検知器２からの第一ＩＤ信号、携帯機３からの第二ＩＤ信号及び火災探知器４からの第三ＩＤ信号のいずれか一つを受信したか否かがモニタ側マイコン３０によって判断される（Ｓ２）。
【００３９】
モニタ装置５が第一〜第三ＩＤ信号のいずれか一つを受信すると、ＩＤコードを登録しようとするチャンネル３５に既にＩＤコードが登録されているか否かがモニタ側マイコン３０によって判断される（Ｓ３）。ＩＤコードが登録されていない場合、モニタ側マイコン３０によってＩＤコードが登録されるとともに（Ｓ４）、報知ブザー３１によってＩＤコードの登録が報知され（Ｓ５）、次にＩＤコードを登録させるチャンネル３５が、ＩＤコードの登録がなされていない空きチャンネル３５に切り替えられる（Ｓ６）。なお、ＩＤ信号が登録されている場合、ＩＤコードが登録されたり、報知ブザー３１が鳴ったりすることはない。
【００４０】
そして、チャンネル３５の切替後、モード切替スイッチ３２の押圧操作によって登録モードが解除されていなければ（Ｓ７）、第一〜第三ＩＤ信号のいずれか一つを受信したか否かの判断がモニタ側マイコン３０によって再び行われる（Ｓ２）。すなわち、図３のＳ２〜Ｓ７に示すモニタ側マイコン３０によって行われる処理は、モニタ装置５が登録モードにある限り繰り返し行われる。
【００４１】
本実施形態によれば、以下のような効果を得ることができる。
（１）登録モードにおいて、第一〜第三ＩＤ信号に含まれているＩＤコードのいずれかが一つのチャンネル３５に登録されると、モニタ側マイコン３０は、ＩＤコードがチャンネル３５に登録されたことを条件として、ＩＤコードの登録がなされていない空きチャンネル３５に切り替える。よって、モニタ装置５を予め登録モードに切り替えておけば、錠開閉検知器２の検知器側セットスイッチ１０、携帯機３の操作スイッチ１５及び火災探知器４の探知器側セットスイッチ２０をそれぞれ操作していくだけで各チャンネル３５にＩＤコードが登録される。ゆえに、ＩＤコードの登録作業が容易になる。
【００４２】
（２）モニタ側マイコン３０は、各チャンネル３５に登録されたＩＤコードのうち、送信されてきた第一〜第三ＩＤ信号のいずれか一つに含まれているＩＤコードと一致するＩＤコードに応じてモニタ装置５の通報態様を選択する。具体的には、モニタ側マイコン３０は、通信装置３３を作動させて建物内の異常をどこに報知させるか等を選択する。よって、チャンネル３５に応じて通報態様が選択される場合のように、どのチャンネル３５にどのＩＤコードを登録しても、モニタ装置５が意図に反した動作をするのを防止することができる。例えば、火災探知器４が火災を検知したのにも拘わらず、消防署に報知せずに警察署に報知したりするのを防止することができる。
【００４３】
また、錠開閉検知器２、携帯機３及び火災探知器４を登録させるチャンネル３５が予め決められている訳ではない。それぞれの錠開閉検知器２、携帯機３及び火災探知器４を、チャンネル３５の数を超えない範囲で自由に増減させることができる。
【００４４】
（３）報知ブザー３１は、ＩＤコードがチャンネル３５に登録完了したことを知らせるようになっている。よって、ユーザは、ＩＤコードを登録する度に、ＩＤコードが登録されたか否かを確認することができるため、ＩＤコードの登録作業がより一層容易になる。
【００４５】
（第２実施形態）
第２実施形態において第１実施形態と同一の部分については、その詳細な説明を省略する。
【００４６】
登録モードにおいて、モニタ装置５が備えるモニタ側マイコン３０は、第一〜第三ＩＤ信号に含まれているＩＤコードのいずれかを複数のチャンネル３５のうちいずれか一つに登録するようになっている。そして、登録モードでモニタ側マイコン３０は、ＩＤコードが複数のチャンネル３５のうちいずれか一つに登録されたときに、次回以降に送信されてくる第一〜第三ＩＤ信号を受信したことを条件として、次回以降に登録されるＩＤコードの登録を済ませていない空きチャンネル３５のうちいずれか一つに切り替える。つまり、モニタ側マイコン３０は、次回以降に送信されてくる第一〜第三ＩＤ信号を受信したときにはじめて、空きチャンネル３５に切り替えることにより、第一〜第三ＩＤ信号に含まれているＩＤコードを登録可能な状態になる。
【００４７】
したがって、モニタ装置５を予め登録モードに切り替えておけば、錠開閉検知器２、携帯機３及び火災探知器４の検知器側セットスイッチ１０、操作スイッチ１５及び探知器側セットスイッチ２０をそれぞれ操作していくだけで各チャンネル３５にＩＤコードが登録される。ゆえに、ＩＤコードの登録作業が容易になる。
【００４８】
なお、前記第１及び第２実施形態は以下のように変更してもよい。
・前記第１及び第２実施形態では、錠開閉検知器２、携帯機３及び火災探知器４が送信装置として用いられていた。しかし、送信装置は以上のものに限られる訳ではなく、例えば、建物内のガス漏れを検出するガス検知器等も送信装置として用いてよい。
【００４９】
・前記第１及び第２実施形態において、モニタ装置５の意匠面上に複数のラベル２５を貼り付ける代わりに、モニタ装置５の意匠面上に液晶画面を設けてもよい。そして、液晶画面の表示を切替操作することにより、登録されている錠開閉検知器２、携帯機３及び火災探知器４の名称を順次表示させるようにしてもよい。
【００５０】
次に、上記各実施形態及び他の実施形態によって把握される技術的思想を以下に記載する。
（１）請求項１〜４のいずれか一項において、前記建物の異常を知らせるために前記送信装置から送信される信号と、前記チャンネルへの登録を行うために前記送信装置から送信される信号とは、いずれも同一のＩＤ信号であることを特徴とするセキュリティシステム。
【００５１】
（２）請求項１〜請求項４、技術的思想（１）のいずれか一項において、前記モニタ装置は、同モニタ装置の監視対象として登録された前記各通信装置の名称を表示する複数のラベルを備えており、前記各ラベルは、前記モニタ装置の意匠面上にそれぞれ配置されていることを特徴とするセキュリティシステム。よって、技術的思想（２）によれば、各通信装置の状態を容易に確認することができる。
【００５２】
（３）それぞれ異なるＩＤコードが含まれているＩＤ信号を送信する複数の送信装置と、前記送信装置から送信されるＩＤ信号を受信することで建物の異常を監視するモニタ装置とを備えたセキュリティシステムにおいて、前記各送信装置は、前記ＩＤ信号を前記モニタ装置に送信するための操作手段を備えており、前記モニタ装置は、前記ＩＤコードが登録される複数のチャンネルと、前記ＩＤコードが前記チャンネルに登録されたことを条件として、次回以降に登録されるＩＤコードが、登録を済ませていない空きチャンネルに登録されるようにするチャンネル切替手段とを備えているセキュリティシステム。
【００５３】
（４）それぞれ異なるＩＤコードが含まれているＩＤ信号を送信する複数の送信装置と、前記送信装置から送信されるＩＤ信号を受信することで建物の異常を監視するモニタ装置とを備えたセキュリティシステムにおいて、前記各送信装置は、前記ＩＤ信号を前記モニタ装置に送信するための操作手段を備えており、前記モニタ装置は、前記ＩＤコードが登録される複数のチャンネルと、前記ＩＤ信号を受信したことを条件として、次回以降に登録されるＩＤコードが登録を済ませていない空きチャンネルに登録されるようにするチャンネル切替手段とを備えているセキュリティシステム。
【００５４】
（５）複数の送信装置から送信されたそれぞれ異なるＩＤコードが含まれているＩＤ信号を、前記各送信装置に設けられた操作手段の操作によって送信させると、前記ＩＤコードがモニタ装置に設けられたチャンネルに登録され、チャンネル切替手段は、前記ＩＤコードが前記チャンネルに登録されたことを条件として、ＩＤコードの登録がなされていない空きチャンネルに切り替えることを特徴とするセキュリティシステムによるＩＤコード登録方法。
【００５５】
【発明の効果】
以上詳述したように、本発明によれば、ＩＤコードの登録作業が容易になる。
【図面の簡単な説明】
【図１】第１実施形態におけるセキュリティシステムを示す概略図。
【図２】同じく、セキュリティシステムのブロック図。
【図３】同じく、モニタ装置の動作を示すフローチャート。
【図４】従来技術におけるセキュリティシステムを示す概略図。
【符号の説明】
１…セキュリティシステム、２…送信装置としての錠開閉検知器、３…送信装置としての携帯機、４…送信装置としての火災探知器、５…モニタ装置、１０…操作手段としての検知器側セットスイッチ、１５…操作手段としての操作スイッチ、２０…操作手段としての探知器側セットスイッチ、３０…チャンネル切替手段、識別手段及び選択手段としてのモニタ側マイクロコンピュータ（モニタ側マイコン）、３１…通知手段としての報知ブザー、３３…通報手段を構成する通信装置、３５…チャンネル。
【図１】
2004102704.tif 000003
【図２】
2004102704.tif 000004
【図３】
2004102704.tif 000005
【図４】
2004102704.tif 000006